(57)【特許請求の範囲】
【請求項１】
床上空間（Ｃｕ）と床下空間（Ｃｄ）とを仕切る床構造体（Ｆｒ）に、人が行き来することのできる出入口（２）を開設し、この出入口（２）に開閉床（Ｔａ）を開閉可能に設けてなる、建物における開閉床装置において、
前記床構造体（Ｆｒ）を構成する大引（３）により、前記出入口（２）の外枠（５）を形成し、この外枠（５）の内側に、パッキン（７）を挟んで前記出入口（２）の内枠（６）を固定し、この内枠（６）の一辺に前記開閉床（Ｔａ）を開閉可能に蝶着し、この開閉床（Ｔａ）の蝶着側と反対側において、外枠（５）と内枠（６）間に介在されるパッキン（７）の長手方向の中間部を切り欠いて形成した取付孔（９）に、閉じ位置にある開閉床（Ｔａ）を僅かに持ち上げるための突き上げ装置（Ｕｐ）を設け、
前記突き上げ装置（Ｕｐ）は、前記取付孔（９）に固定される支持枠（５０）と、この支持枠（５０）を上下動可能に貫通して、その上端に開閉床（Ｔａ）の開放側裏面に突き当て可能な突上部（５４）を有する突き上げ棒（５１）と、この突き上げ棒（５１）を突き上げ方向に付勢する突き上げバネ（５３）と、前記突き上げ棒（５１）を貫通する係止孔（５６）が中間部に開口されると共に基端が固定部に傾動可能に支持される鉤板（５５）と、前記鉤板（５５）を傾動位置に付勢して前記係止孔（５６）のエッジ（ｅ）を前記突き上げ棒（５１）に係止させる係止バネ（５９）と、前記鉤板（５５）の自由端に連結され、該鉤板（５５のエッジ（ｅ）と突き上げ棒（５１）との係止を解除するように、鉤板（５５）を回動操作する操作部材（６０）とよりなることを特徴とする、建物における開閉床装置。
【請求項２】
前記床下空間（Ｃｄ）は、前記出入口（２）から降りた人が移動可能な、物入れ空間であることを特徴とする、前記請求項１記載の、建物における開閉床装置。
【請求項３】
前記開閉床は、開閉畳（Ｔａ）であることを特徴とする、前記請求項１記載の建物における開閉床装置。
【発明の詳細な説明】
【０００１】
【発明の属する技術分野】
本発明は、床上空間と床下空間とを仕切る床板に開設した出入口を開閉する開閉床の開閉操作、特に、閉じている開閉床の開放操作を、容易かつ安全確実に行うことができるようにした、建物における開閉床の開閉装置に関するものである。
【０００２】
【従来の技術】
本出願人は、集合住宅等の建物において、床上空間と床下空間とを仕切る床構造体に、出入口を開口し、この出入口を、畳等の開閉床により開閉できるようにして、床下空間を物入れ空間、介護空間などとして利用できるようにしたものを提案している。（たとえば、特願平１１−１９８５０５号）。
【０００３】
【発明が解決しようとする課題】
ところで、出入口の開閉床を開閉操作は、人が開閉床を把持して行うのが一般的であるが、開閉床が畳のように、その上面に把手等を取り付けることが困難であり、しかも重量が大である場合には、開閉床の開閉操作、特に、閉じている開閉床の開放操作は、これを把持するための隙間がないため、きわめて厄介である。
【０００４】
そこで、本発明は、開閉床の下に、突き上げ装置を設け、該機構の作動により、開閉床の開放側を僅かに持ち上げ、開放床の縁の把持を可能にして、開閉床の開放操作をし易くした、開閉床装置を提案するものであり、特に、前記突き上げ装置は、出入口の開口側に出張ることがなく、しかもその作動に動力を用いないようにして、開閉床の開閉操作や出入口を通しての人の出入り等が安全、容易に行えるようにした、新規な建物における開閉床装置を提供することを目的とするものである。
【０００５】
【課題を解決するための手段】
前記目的を達成するために、本請求項１記載の発明は、床上空間と床下空間とを仕切る床構造体に、人が行き来することのできる出入口を開設し、この出入口に開閉床を開閉可能に設けてなる、建物における開閉床装置において、
前記床構造体を構成する大引により、前記出入口の外枠を形成し、この外枠の内側に、パッキンを挟んで前記出入口の内枠を固定し、この内枠の一辺に前記開閉床を開閉可能に蝶着し、この開閉床の蝶着側と反対側において、外枠と内枠間に介在されるパッキンの長手方向の中間部を切り欠いて形成した取付孔に、閉じ位置にある開閉床を僅かに持ち上げるための突き上げ装置を設け、
前記突き上げ装置は、前記取付孔に固定される支持枠と、この支持枠を上下動可能に貫通して、その上端に開閉床の開放側裏面に突き当て可能な突上部を有する突き上げ棒と、この突き上げ棒を突き上げ方向に付勢する突き上げバネと、前記突き上げ棒を貫通する係止孔が中間部に開口されると共に基端が固定部に傾動可能に支持される鉤板と、前記鉤板を傾動位置に付勢して前記係止孔のエッジを前記突き上げ棒に係止させる係止バネと、前記鉤板の自由端に連結され、該鉤板のエッジと突き上げ棒との係止を解除するように、鉤板を回動操作する操作部材とよりなることを特徴としており、かかる特徴によれば、突き上げ装置は、出入口の、内枠、外枠およびそれら間のパッキンに囲まれた取付孔に設けられており、人の行き来する出入口の開口には、突出も露出もしていないことから、人は、この出入口を通って安全、安易に床上空間と床下空間（物入れ空間）との間を往来することができ、また、突き上げ装置の作動にあたっては、電動力、油圧力等の動力が不要であり、人が単に操作部材を牽引操作することで足りるので、安全であり、しかも操作が容易である。
【０００６】
また、前記目的達成のため、本請求項２記載の発明は、前記請求項１記載のものにおいて、前記床下空間は、前記出入口から降りた人が移動可能な、物入れ空間であることを特徴としており、かかる特徴によれば、前記請求項１記載の発明と同等の効果を奏する上に、床下空間を物入れ空間として有効に利用することができ、しかも該空間への物の出入れが容易になる。
【０００７】
さらに、前記目的達成のため、本請求項３記載の発明は、前記請求項１記載のものにおいて、前記開閉床は、畳であることを特徴としており、かかる特徴によれば、前記請求項１記載のものと同等の効果を奏する上に、重い畳でも突き上げ装置により簡単、容易に開放することができる。
【０００８】
【発明の実施の形態】
以下、本発明の実施の形態を、添付図面に示した本発明の実施例に基づいて説明する。
【０００９】
図１は、本発明建物における開閉床の開閉装置を設けた建物の一部の横断面図、図２は、図１の２−２線に沿う断面図、図３は、図１の開閉畳部分の一部破断拡大図、図４は、図３の４−４線に沿う断面図、図５は、図３の５−５線に沿う断面図、図６は、図３の６−６線に沿う断面図、図７は、図５の７線矢視拡大図、図８は、図７の８−８線に沿う断面図、図９は、図３の９−９線に沿う断面図図１０は、図１１の１０−１０線に沿う断面図、図１１は、図１０の１１−１１線に沿う拡大断面図、図１２は、リンク開閉機構の作用図である。
【００１０】
図１，２において、集合住宅等の建物の骨格を構成する躯体Ｆは、水平方向に延びて建物を上下複数の階層に区画する水平躯体部分Ｆｈと、鉛直方向に延びて隣接する水平躯体部分Ｆｈ間を相互に連結する鉛直躯体部分Ｆｖとを備えており、水平躯体部分Ｆｈは、スラブＳの上面に複数の逆梁Ｒｂを上向きに一体に突設した、所謂逆梁構造に構成されている。建物の一つの住空間は、逆梁Ｒｂにより複数の室単位に区画され、それらの室単位の一つとして和室が形成され、この和室に、本発明に従う開閉床装置が構築されている。
【００１１】
前記和室は、複数枚の畳を敷設した床構造体Ｆｒにより、居室として利用される、床上空間Ｃｕと、物品収納室として利用される床下空間Ｃｄとに仕切られている。物品収納室として機能する床下空間Ｃｄは、その四方を逆梁Ｒｂにより囲まれて、その全域が仕切りのない一つの広い室として構成され、この物品収納室Ｃｄの内壁面となるスラブＳの上面および逆梁Ｒｂの内面には、防水性クロス等の内装材１が積層される。
【００１２】
床構造体Ｆｒの中間部には、略畳一枚分に相当する大きさの出入口２が開口され、この出入口２を通して人が床下空間Ｃｄに入り、物の出入れをすることができる。また出入口２は、後に述べるように、一枚の開閉畳Ｔａにより開閉可能である。
【００１３】
つぎに、前記床構造体Ｆｒの構造について説明するに、この床構造体Ｆｒは、逆梁Ｒｂ上にゴム材等の緩衝支持部材６を介して支持される複数の大引３と、それらの上に直交して載設される複数の根太４と、その根太４上に敷設される複数枚の畳Ｔとより構成されている。そして、この床構造体Ｆｒの中央部に、略畳一枚分に相当する大きさの、長方形の出入口２が開口され、この出入口２には、後に詳述するように、一枚の開閉畳Ｔａが開閉可能に蝶着される。
【００１４】
而して、逆梁Ｒ上に、床構造体Ｆｒを支持するのに、スラブＳ上には、従来のような束が一切立てられておらず、その床構造体Ｆｒに伝わる騒音が直接スラブＳを通して階下に伝わることがないようになっている。
【００１５】
前記出入口２の囲い縁は、前記床構造体Ｆｒの構成部材である大引３により形成される外枠５と、この外枠５の内周面に接合される、木製の角柱状パッキン７と、そのパッキン７の内面に接合される、木製の方形状内枠６とより三層に形成されている。そして、外枠５、内枠６およびパッキン７は、複数の連結ボルト８により、一体に固定される。しかして、図３〜６に示すように、木製のパッキン７は、内枠６と外枠５間の横幅寸法が場所によって相違しており、すなわち、後に述べる開閉畳Ｔａの蝶着側と反対側の一辺のパッキン７（ｗ）の横幅寸法Ｄｗは、他の３辺のパッキン７（ｎ）の横幅寸法Ｄｎよりも幅広に形成されている。そして、図３に示すように、この幅広のパッキン７（ｗ）の長手方向の中間部は切り欠かれていて、そこに上下に開放した取付孔９が形成され、この取付孔９は、前記外枠５、内枠６およびパッキン７により囲繞され、そこに突き上げ装置Ｕｐが設けられる。
【００１６】
前記突き上げ装置Ｕｐは、後に述べるように、前記出入口２に後述するリンク開閉機構Ｌｉを介して蝶着される開閉畳Ｔａが閉じ位置にあるときに、この開閉畳Ｔａの開放側を突き上げて、その開閉畳Ｔａを僅かに開放させ、開閉畳Ｔａの下に作業者の手が入るようにして、その開放をし易くするためのものであって、以下に、主に図７，８を参照して突き上げ装置Ｕｐの構造について説明するに、前記取付孔９には、中空の支持枠５０が縦方向に収容されて支持板５７を介して出入口２の内枠６に複数のネジにより固定されている。この支持枠５０には、角柱よりなる突き上げ棒５１が、上下方向に移動可能に貫通されており、この突き上げ棒５１の、支持枠５０内の中間部には、バネ受け５２が固定され、このバネ受け５２と、支持枠５０の底壁間には、圧縮バネよりなる突き上げバネ５３が縮設され、この突き上げバネ５３は、突き上げ棒５１を突き上げるように付勢している。突き上げ棒５１の上端には、ゴム片よりなる突上部５４が固着され、この突上部５４は、開閉畳Ｔａの開き側の底面に対面している。突き上げ棒５１の上部には、その突き上げ棒５１と協働して自在鉤を構成する、鉤板５５が設けられる。この鉤板５５の中間部には、係止孔５６が開口され、この係止孔５６を、突き上げ棒５１の上部が貫通している。鉤板５５の基端は、前記支持板５７の上端に上下に回動可能にヒンジ連結５８され、また、鉤板５５の下面と支持枠５０の上面間には、圧縮バネよりなる係止バネ５９が介在され、この係止バネ５９の弾発力は、図７に示すように、鉤板５５をヒンジ連結５８部を支点として傾斜するように付勢している。これにより、突き上げ棒５１の対向する周面に、係止孔５６のエッジｅが係合して突き上げ棒５１の上下動が阻止されるようになっており、鉤板５５と、突き上げ棒５１とは、「自在鉤」を構成している。鉤板５５の自由端には、操作索６０の一端が結着されている。この操作索６０は延長されて、滑車６１を経由して床上の和室等の人が操作し易い位置まで達しており、図示しないハンドルなどに連結されている。図７において、操作索６０が矢印方向に牽引されると、鉤板５５は、同図鎖線に示すように、突き上げ棒５１と略直交する位置にきて、その鉤板５５の対向する２つのエッジｅは、突き上げ棒５１との係合から外れ、該突き上げ棒５１は、突き上げバネ５３の弾発力で上昇し、開閉畳Ｔａの開き側を僅かに持ち上げることができる。
【００１７】
出入口２を開閉する開閉畳Ｔａは、合板よりなる方形状の底板６５の上に、畳床６６の上面に畳表６７を敷設してなる畳本体６８を固定して構成されており、開閉操作を繰り返しても歪曲したり、変形することがないように、十分な剛性を有している。
【００１８】
そして、この開閉畳Ｔａは、出入口２の、前記突き上げ装置Ｕｐを有する側と反対側の一辺に一対のリンク開閉機構Ｌｉを介して最大開き角度が９０°以上（この実施例では９５°）になるように開閉可能に支持される。前記一対のリンク開閉機構Ｌｉは、長方形の出入口２の内枠６の長手方向の左右両側縁部と、開閉畳Ｔａの同じく長手方向の左右両側縁部との間にそれぞれ連結されている。一対のリンク開閉機構Ｌｉは同じ構造であるので、以下に、図９〜１２を参照して、その一方の構造を具体的に説明するに、出入口２の長手方向の一端部内面には、金属板よりなる補強板１０を介して基板１１が、複数の連結ボルト１２により堅固に固定されている。この基板１１は、鋼板等の金属板により横断面チャンネル状に形成され、この基板１１に、第１リンク１８および第２リンク１９の基端が上下に間隔をあけて上下方向に回動自在に軸支されている。前記第１リンク１８は、互いに平行な直状の一対の第１リンク板１８ａ，１８ａより構成され、これらのリンク板１８ａ，１８ａの基端は、それらの間に挟まれる円筒状のカラー２３を貫通した支持ピン２４により、基板１１の両側に上下に回動自在に連結Ｊａされる。また、前記第２のリンク１９は、基端にＬ状の屈曲部をもつ、互いに平行な一対の第２リンク板１９ａ，１９ａより構成され、これらのリンク板１９ａ，１９ａの屈曲基端は、それらの間に挟まれる円筒状のカラー２５を貫通した支持ピン２６により、前記連結Ｊａ部の上方で、基板１１の両側に上下に回動自在に連結Ｊｂされる。第１、第２リンク１８，１９は、それらの折畳状態（格納状態）で互いに略平行に配置され、第２リンク１９の方が第１リンクよりも若干長く形成されている。そして、第２リンク１９の、第１リンク１８に近接する側の側縁には、円弧状の、格納ノッチ２７および伸長ノッチ２８が、その長手方向に間隔をあけて形成されており、格納ノッチ２７には、第１リンク１８の先端と第３リンク２０の先端とを連結する支持ピン３７のカラー３６（後述）が係合してリンク開閉機構Ｌｉは、格納位置に保持され、また、伸長ノッチ２８には、そのカラー３６が係合してリンク開閉機構Ｌｉは伸長位置（図９鎖線位置）に保持される。
【００１９】
一方、開閉畳Ｔａの長手方向の両側縁端部の裏面には、他の基板３０が複数の連結ボルト３１で堅固に固定され、この他の基板３０は横断面チャンネル状の金属板により構成されて充分な剛性を保有し、該他の基板３０の両側において、その長手方向に間隔をあけて第３、第４リンク２０，２１がそれぞれ上下方向に回動自在に連結Ｊｃ，Ｊｄされる。前記第３リンク２０は、前記他の基板３０の両側にあって互いに平行な一対の第３リンク板２０ａ，２０ａより構成され、これらの第３リンク板２０ａ，２０ａの基端部は、それらの間に挟まれる円筒状のカラー３２を貫通した支持ピン３３により、他の基板３０の両側に上下に回動自在に連結Ｊｃされる。また、前記第４リンク２１はく字状に形成される、互いに平行な一対の第４リンク板２１ａ，２１ａより構成され、これらの第４リンク板２１ａ，２１ａの基端部は、それらの間に挟まれる円筒状のカラー３４を貫通した支持ピン３５を介して他の基板３０に回動自在に連結Ｊｄされる。そして、前記連結Ｊｃ，Ｊｄ部は、他の基板３０の長手方向に間隔があけられ、それらの間隔は、前記連結Ｊａ，Ｊｂ部の間隔より狭い。
【００２０】
第１リンク１８の自由端と、第３リンク２０の自由端同士は、カラー３６を貫通した支持ピン３７を介して回動自在に連結Ｊｅされ、また、第２リンク１９の自由端と、第４リンク２１の自由端同士は、カラー３８を貫通した支持ピン３９を介して回動自在に連結Ｊｆされている。
【００２１】
さらに、第２リンク１９と、第３リンク２０との中間部は、カラー４０を貫通した支持ピン４１により互いに連結Ｊｇされ、この連結Ｊｇ部と、前記第１リンク１８の基端側連結Ｊａ部との間には、引張バネ４３が張架され、この引張バネ４３の弾発力は、リンク開閉機構Ｌｉを介して開閉畳Ｔａを最大開き角度に弾発保持して、その開閉畳Ｔａがその開き位置でガタ付かないようにしている。
【００２２】
出入口２の内枠５および開閉畳Ｔａの長手方向の両側間には、前記リンク開閉機構Ｌｉに近づけて、一対のガススプリング４４の両端が連結されている。すなわち、図９に示すように、開閉畳Ｔａの長手方向の一側縁の幅方向の中間部には、ガススプリング４４の基端が回動自在に連結４５され、該ガススプリング４４の先端は、出入口２の長手方向の側縁下部に回動自在に連結４６されている。このガススプリング４４は、従来公知のもので、開閉畳Ｔａの開放を助勢できるようにしたものであり、開閉畳Ｔａが出入口２を閉じているとき、収縮状態にある。
【００２３】
図１２（ａ）に示すように、開閉畳Ｔａが閉じ位置すなわち出入口２を閉じているとき、リンク開閉機構Ｌｉは、折り畳み位置にあり、このリンク開閉機構Ｌｉは、格納ノッチ２７により係止され、また、引張バネ４３で弾発保持される。そして、開閉畳Ｔａが開き始めると、第１〜第４リンク１８〜２１は、図１２（ｂ）矢印に示すように起立回動し、開閉畳Ｔａが全開（全開角度約９５°）すると、図１２（ｃ）に示すように、各リンク１８〜２１は、重なり合って偏平状に伸長し、前記連結Ｊｅ部が、伸長ノッチ２８に係合してリンク開閉機構Ｌｉは、伸長位置に係止されると共に引張バネ４３により弾発保持される。そして開閉畳Ｔａは、全開位置に安定して保持され、振動や外乱でガタ付くことがない。
【００２４】
つぎに、この実施例の作用について説明する。
【００２５】
いま、閉じている開閉畳Ｔａを解放するには、その開閉畳Ｔａの開き側（リンク開閉機構Ｌｉの取付側と反対側）を僅かに持ち上げる。この持ち上げ操作は、本発明に従う前記突き上げ装置Ｕｐにより行われる。和室等の適所に設けられる、図示しない、ハンドルなどの操作により、操作索６０を牽引操作することにより、前記突き上げ装置Ｕｐが作動される。
【００２６】
すなわち、操作索６０の牽引操作によれば、この操作索６０は、図７において、矢印Ａ方向に引かれ、これに連結される鉤板５５は、係止バネ５９の弾発力に抗してヒンジ連結５８まわりに実線位置から鎖線位置に揺動して突き上げ棒５１に対して略直角になる位置まできたところで、鉤板５５のエッジｅが突き上げ棒５１との係合から外れるので、この突き上げ棒５１は、突き上げバネ５３の弾発力により、図７において、実線位置から鎖線位置まで上昇し、その上端の突上部５４が開閉畳Ｔａの開放側を突き上げることができ、作業者は、開閉畳Ｔａの開放側の下に手を差し込んでこの開閉畳Ｔａの縁を把持することができ、比較的重い開閉畳Ｔａを容易に開放することができる。
【００２７】
この場合、開閉畳Ｔａの開き側を上方に引き上げれば、一対のリンク開閉機構Ｌｉを介してこれを大きく開放することができ、その開閉畳Ｔａの最大開き角を９０°以上（約９５°）とすることができ、そのときのリンク開閉機構Ｌｉは、その第１〜４リンク１８〜２１が、開閉畳Ｔａの裏面と、出入口２の内側面に沿うように重なりあって偏平状に伸長し、出入口２の中央側に出っ張ることがなく、その結果、出入口２を大きく開放することができる。また、ガススプリング４４は、その機能により、開閉畳Ｔａの開放力を助勢するので、開閉畳Ｔａを楽々と持ち上げて開放することができる。
【００２８】
而して、前記突き上げ装置Ｕｐは、出入口２の、内枠６、外枠５およびそれら間のパッキン７（ｗ）に囲まれていて、人の行き来する出入口２の開口側には、突出も露出もしていないことから、人は、この出入口２を通って安全、安易に床上空間Ｃｕと床下空間（物入れ空間）Ｃｄとの間を往来することができる。また、突き上げ装置Ｕｐの作動にあたっては、電動力、油圧力等の動力が不要であり、人が単に操作索６０を牽引操作することで足りるので、安全であり、しかも操作が容易である。その上、この突き上げ装置Ｕｐは、床下空間Ｃｄ内に操作部を設けることにより、該床下空間Ｃｄでの操作も可能であるので、誤って床下空間Ｃｄに人が残ったまま、開閉畳Ｔａを閉じてしまっても、床下空間Ｃｄから簡単に開閉畳Ｔａを持ち上げ操作することが可能となる。
【００２９】
なお、物品収納室となる床下空間Ｃｄは、逆梁の高さ（約６０cm）と略同じ高さであるので、床板上からそこに降りるのに踏み段を用いるとよい。
【００３０】
開閉畳Ｔａが全開すれば、出入口２が大きく開放され、この出入口２を通して人が物品収納室である床下空間Ｃｄに降りて、そこに物品の出入れをすることができる。このとき、床下空間Ｃｄは、四方を逆梁Ｒｂにより囲まれた広い空間であり、しかも、この空間には、従来のような束等の障害物が一切存在しないので、該室Ｃｄでの物品の取扱やその出入口２を通しての物品の出入れが容易になる。
【００３１】
以上、本発明の一実施例について説明したが、本発明はその実施例に限定されることなく、本発明の範囲内で種々の実施例が可能である。たとえば、前記実施例では、開閉床として、開閉畳を用いた場合を説明したが、これに代えて開閉フローリングを用いてもよい。また、前記実施例では、本発明を、逆梁構造の躯体を備えた集合住宅に実施した場合を説明したが、これを戸建住宅などの他の建物にも実施できることは勿論である。
【００３２】
【発明の効果】
以上のように、本請求項各項記載の発明によれば、開閉床を僅かに持ち上げる突き上げ装置は、出入口の、内枠、外枠およびそれら間のパッキンに囲まれた取付孔に設けられていて、人の行き来する出入口の開口部には、突出も露出もしていないことから、人は、この出入口を通って安全、安易に床上空間と床下空間（物入れ空間）との間を往来することができ、また、突き上げ装置の作動にあたっては、電動力、油圧力等の動力が不要であり、人が単に操作部材を牽引操作することで足りるので、安全であり、しかも操作が容易である。
【００３３】
また、本請求項２記載の発明によれば、床下空間を物入れ空間として有効に利用することができ、しかも該空間への物の出入れが容易になる。
【００３４】
さらに、本請求項３記載の発明によれば、重い畳でも突き上げ装置により簡単、容易に開放することができる。
【図面の簡単な説明】
【図１】開閉床の開閉装置を設けた建物の一部の横断面図
【図２】図１の２−２線に沿う断面図
【図３】図１の開閉畳部分の一部破断拡大図
【図４】図３の４−４線に沿う断面図
【図５】図３の５−５線に沿う断面図
【図６】図３の６−６線に沿う断面図
【図７】図５の７線矢視拡大図
【図８】図７の８−８線に沿う断面図
【図９】図３の９−９線に沿う断面図
【図１０】図１１の１０−１０線に沿う断面図
【図１１】図１０の１１−１１線に沿う拡大断面図
【図１２】リンク開閉機構の作用図
【符号の説明】
２          出入口
３          大引
５          外枠
６          内枠
７          パッキン
９          取付孔
５０        支持枠
５１        突き上げ棒
５３        突き上げバネ
５４        突上部
５５        鉤板
５６        係止孔
５９        係止バネ
６０        操作索（操作部材）
ｅ          エッジ
Ｃｕ        床上空間（居室）
Ｃｄ        床下空間（物品収納室）
Ｆｒ        床構造体
Ｔａ        開閉畳
Ｕｐ        突き上げ装置
【図１】
0003689315.tif 000002
【図２】
0003689315.tif 000003
【図３】
0003689315.tif 000004
【図４】
0003689315.tif 000005
【図５】
0003689315.tif 000006
【図６】
0003689315.tif 000007
【図７】
0003689315.tif 000008
【図８】
0003689315.tif 000009
【図９】
0003689315.tif 000010
【図１０】
0003689315.tif 000011
【図１１】
0003689315.tif 000012
【図１２】
0003689315.tif 000013